Podtech/llm-jp-corpus-v4-ja_patent huggingface dataset:
(57)【要約】【課題】  簡単な操作により湯たんぽを湯たんぽ収納袋に収納可能とした収納袋の提供にある。【解決手段】湯たんぽを被覆する表面および裏面を形成する２枚の楕円形材を湯たんぽを容入可能部分を除外して湾曲部分を縫製した収容袋本体と未縫製の湾曲部分と湯たんぽ容入可能部分を結ぶ略半円形の２枚の部分の夫々に同形の半円形部材を夫々の湾曲部分を合せて縫製して２つの内側向きのポケット部とし湯たんぽの未被覆部を２つのポケットにより２重に被覆可能とした湯たんぽ収納袋。【選択図】図１
0003151108.tif 000002
【実用新案登録請求の範囲】
【請求項１】
楕円形湯たんぽを収納する布帛製又は編み物製の湯たんぽ収納袋において湯たんぽを被覆する表面および裏面を形成する２枚の楕円形材を湯たんぽを容入可能部分を除外して湾曲部分を縫製した収容袋本体と未縫製の湾曲部分と湯たんぽ容入可能部分を結ぶ略半円形の２枚の部分の夫々に同形の半円形部材を夫々の湾曲部分を合せて縫製して２つの内側向きのポケット部とし湯たんぽの未被覆部を２つのポケットにより２重に被覆可能とした湯たんぽ収納袋。
【請求項２】
２つのポケット部の内ポケットより外ポケットを僅かに大きくしたことを特徴とする請求項１記載の湯たんぽ収納袋。
【請求項３】
２つのポケット部の内外の色彩と材質を変更した請求項１記載の湯たんぽ収納袋。
【考案の詳細な説明】
【考案の詳細な説明】
【技術分野】
【０００１】この考案は、湯たんぽを収容する湯たんぽ収納袋に関する。
【背景技術】
【０００２】従来から、内部に熱湯等を注入して温熱効果を得る湯たんぽを収容する湯たんぽ袋について様々なものが提案されている。例えば、収容袋に湯たんぽを収容して開口部を通し紐で結わえる。また略楕円状の布体を周縁部に設けたファスナで係着して袋状を構成するものがある（特許文献１参照）。【０００３】利用者は、このように熱湯を注入した湯たんぽを湯たんぽ袋に収容し、例えば、寝具の中に持ち込むことで、寝具内を安全に暖めることができる。
【特許文献１】実用新案登録第３０７４８１６号公報
【考案の開示】
【考案が解決しようとする課題】
【０００４】しかし、上記のように紐で湯たんぽ袋の口を締めるのでは手数が掛かり、また、就寝中、足指が紐に絡むことも起こり得る。更に紐が硬結びなどになれば、解くのに困難を伴う。
次の文献に記載のものも、ファスナがあれば、就寝中ファスナに触れる感覚が良くなく、また、湯たんぽ生地は、厚手生地、綿入り生地、毛長の生地等が用いられるから、経年等によりファスナの破損することも起こることが多い。【０００５】この考案は、上記のような問題点を解決しようとするもので、湯たんぽを本考案の湯たんぽ袋本体に容入した後、湯たんぽの露出部を内ポケットと外ポケットで被覆することにより簡単に即時に使用できるようにした湯たんぽ収納袋の提供を目的とする。
【課題を解決するための手段】
【０００５】  上記の目的を達成するために、この考案は、楕円形湯たんぽを収納する布帛製又は編み物製の湯たんぽ収納袋において湯たんぽを被覆する表面および裏面を形成する２枚の楕円形材を湯たんぽを容入可能部分を除外して湾曲部分を縫製した収容袋本体と未縫製の湾曲部分と湯たんぽ容入可能部分を結ぶ略半円形の２枚の部分の夫々に同形の半円形部材を夫々の湾曲部分を合せて縫製して２つの内側向きのポケット部とし湯たんぽの未被覆部を２つのポケットにより２重に被覆可能とした湯たんぽ収納袋にあります。【０００６】  この考案の湯たんぽ収納袋に用いられる布帛は、温熱効果を得るためのものであるから、厚手の生地、綿を挟んだ生地等何れのものでも良く、単独に又は多重にして用いることができる。【０００７】  また、この考案の２つのポケットは、内ポケットより外ポケットを僅かに大きめにすることが好ましい。
さらに両ポケットを色彩、材質等により変化させれば、湯たんぽの被覆順序を間違うこともない。
【考案の効果】
【０００６】  湯たんぽの利用者は老人等が多く利用すると思われますが、老人は指先が器用に動かず、紐を結ぶ、ファスナのチャックを摘まむ等苦労すると思われます。この考案は湯たんぽを収納袋に収容して未被覆部分を内ポケット、次いで外ポケットで覆うことにより簡単に湯たんぽを収納することができる効果がある。
【考案を実施するための最良の形態】
【０００７】  この考案の実施形態を、以下図面を用いて説明する。
湯たんぽ収納袋に用いる布帛生地に２枚の間に綿を挟んだキルト生地を用い、表面布部２と裏面布部３とを、湯たんぽの厚みと縫い代を考慮して楕円形に裁断する。【０００８】  表面布部２と裏面布部３を重ねて、長手方向の中心より左右に湾曲線に沿って、その約３分の１を残して縫製して収納袋本体とする。
未縫製の部分は湯たんぽの容入口となる。【０００９】  次いで未縫製の湾曲部分と湯たんぽ容入可能部分を結ぶ略半円形の２枚の部分の夫々に同形の半円形部材を夫々の湾曲部分を合わせて縫製して２つの内側向きのポケット部とする。
そして、湯たんぽの未被覆部を２つのポケットにより被覆した湯たんぽ収納袋である。
【図面の簡単な説明】
【００１０】
【図１】湯たんぽ収納袋の側面断面図。
【図２】湯たんぽ収納袋の正面図。
【符号の説明】
【００１１】１・・・湯たんぽ
２・・・表面布
３・・・裏面布
４・・・ポケット布（外）
５・・・ポケット布（内）
【図１】
0003151108.tif 000003
【図２】
0003151108.tif 000004
(57)【要約】      （修正有）【課題】片手が塞がっている状態で本を読む事ができるように、ブックカバーに指をさしこみ本を保持する機能を持たせたポケット付きブックカバーを提供する。【解決手段】該ブックカバーはブックカバー本体１、袋状被覆部（ポケット）２で構成し、袋状被覆部２をカバー本体に着脱自在なテープ３を用いて取り付けるか、または両者を一体として設ける。または、着脱自在な材料を用いてシートをブックカバー本体１に取り付け、指が挿入可能な形状のフィンガーサックを前記シートに取り付けるように構成しても良い。【選択図】図１
0003151106.tif 000002
【実用新案登録請求の範囲】
【請求項１】
外表部に縮閉可能な袋状被覆部（ポケット）をつけ、ポケットの広開状態において、ポケットに手または指をいれて本を保持、落下防止を可能とし、またポケットの収縮時には嵩張らないことを特徴とするブックカバー。
【請求項２】
外表部に脱着自在なテープを装着されたブックカバーとブックカバーに取り付け可能な脱着可能なテープを装着した指サックに、指を入れて本を保持、落下防止を可能とすることを特徴とするブックカバー。
【請求項３】
外表部にゴムバンドを装着し、ゴムバンドとブックカバーの間に手を入れて本を保持、落下防止を可能とすることを特徴とするブックカバー。
【考案の詳細な説明】
【技術分野】
【０００１】本発明は、本及び書物一般のカバーに係わり、特にカバーの外表部を覆う袋状被覆部（ポケット）を備えたカバーに関する。
【技術背景】
【０００２】通勤、通学途上の電車の中で吊革に掴まって、片手が塞がっている状態で本を読む場合がある。
【０００３】このような状態で、本を読む者には、本が手から滑り落ちないよう片手で、保持することが必要である。
【先行技術文献】
【特許文献１】なし
【非特許文献】
【非特許文献１】なし
【考案の概要】
【考案が解決しようとする課題】
【０００４】片手で本を読む時に、本が手から滑り落ちることがある。混雑する電車の中では落下した本が他人にあたり迷惑をかけることがある。本発明は、これらの問題点に鑑み、なされたものであり、ブックカバーに低コストで本を保持する機能を持たせることを課題とする。
【課題を解決するための手段】
【０００５】請求項１の発明は、ブックカバーの外表部に袋状被覆部（ポケット）を設けることにより、このポケットに手または指を入れ、本を保持することにより、本の落下、滑り落ちを防止出来るカバーである。【０００６】請求項２の発明は、ブックカバーの外表部及び指サックに着脱自在なテープを張り付けたものであり、本を保持する指を、ブックカバー上の任意の位置に設定出来、且つその位置を移動可能としたブックカバーである。【０００７】請求項３の発明は、ブックカバーの外表部にゴムバンドをつけることにより、このバンドに手を通して本を保持することにより、本の落下、滑り落ちを防止出来るブックカバーである。
【考案の効果】
【０００８】請求項１の構成により片手で本を読む時、本が手から滑り落ちることはなくなる。【０００９】又、ポケットを縮閉すると嵩張らないので、カバンなどに収納するのに便利である。【００１０】請求項２の構成により本の落下を防ぐと共に、着脱自在なテープを用いるので、最も読み易い位置で本を持つことが出来る。【００１１】請求項３の構成により本の落下を防ぐと共に、ゴムバンドを用いるので、手や指の太さにかかわらず本を保持出来る。
【図面の簡単な説明】
【００１２】
【図１】本発明に係わるブックカバーの第一実施例の概略構成を示す斜視図
【図２】本発明に係わるブックカバーの第二実施例の概略構成を示す斜視図
【図３】本発明に係わるブックカバーの第三実施例の概略構成を示す斜視図
【考案を実施するための形態】
【実施例】
【００１３】図面１に記載の第一実施例では、１がブックカバー本体、２は袋状被覆部（ポケット）であり、袋状被覆部をカバー本体に着脱自在なテープ３を用いて取り付けるか、または両者を一体として設ける。【００１４】袋状被覆部は手又は指の一部が入る大きさであれば、特に大きさ、形状にはこだわらない。【００１５】袋状被覆部は使用しない時にたためるようにしておくと収納に便利である。【００１６】図面２に記載の第二実施例では、４のシートは着脱自在な材料を用いて、ブックカバー本体に取り付けたものであり、５はフィンガーサックであり指が挿入可能な形状で、シート４に着脱可能な材料を用いている。【００１７】１のブックカバー本体に直接５のフィンガーサックが取り付けられるならシート４は不要である。【００１８】図面３に記載の第三実施例では、ブックカバー１に手や指などの一部を挟むことの出来るゴムバンド６を取り付けたものである。【００１９】ゴムバンド６は布や容易に破けない紙などであっても、手や指などの一部を挟むことが出来るようになっていれば良い。
【符号の説明】
【００２０】１  ブックカバー本体
２  袋状被覆部（ポケット）
３  着脱自在なテープ
４  シート
５  フィンガーサック（着脱自在なテープでブックカバーに付着している状態を指す）
６  ゴムバンド
【図１】
0003151106.tif 000003
【図２】
0003151106.tif 000004
【図３】
0003151106.tif 000005
(57)【要約】      （修正有）【課題】履物内部の蒸れを防止する機構を提供する。【解決手段】人の歩行時の動作と体重を動力とし、逆止弁５をとりつけた空気導入管２とフイゴ状のポンプ３をつなげた機構を履物に装備する事で、外部の空気を履物内部へ圧送する事が出来る。この作用により履物内部の換気が行われ蒸れの防止に有効である。【選択図】図１
0003151107.tif 000002
【実用新案登録請求の範囲】
【請求項１】
足の蒸れを防止する目的で空気逆止弁付の空気導入管とフイゴ状のポンプを履物に装着する機構。
【考案の詳細な説明】
【技術分野】
【０００１】  本考案は履物内において、蒸れを防止する目的で逆止弁付き空気導入管とフイゴ状のポンプを装備した機構である。
【背景技術】
【０００２】  履物の使用時、ゴムやビニール等の材質や長靴型の形状は履物内部に蒸れが生じる。特に密着性の高いものや、防水機能を伴った履物は通気が少なく蒸れによる異臭や腐敗臭が発生していた。
【先行技術文献】
【特許文献】
【０００３】
【非特許文献】
【０００４】
【考案の概要】
【考案が解決しようとする課題】
【０００５】  履物内部の蒸れや臭みは、不快感がある。外の空気で換気をしたいが、中敷等の簡易的な物では履物内部に履物外部からの新鮮な空気が得られない。従って履物本体か中敷自体に外部の空気を取り込む機構を設ける事で蒸れの防止が可能になり、前述の欠点を解決しようとするものである。
【課題を解決するための手段】
【０００６】  本考案は、人が歩行する際に履物の中で、かかとが上下運動するのを利用して、履物内部にかかと接触部とかかとの間にフイゴ状のポンプ及び空気導入管に逆止弁を設けた機構を装備することで、外部の空気が履物内部へ逆流する事なく吹き出し換気ができて、履物の蒸れの問題点を解決している。
【考案の効果】
【０００７】  上述の様に、本考案の機構は、人の歩行する動作を動力に、履物の内部へ換気目的で外気を圧送する事で、履物内の蒸れや臭みの防止として役立つ。
【図面の簡単な説明】
【０００８】
【図１】本考案の斜視図
【図２】本考案の逆止弁拡大図
【図３】本考案の逆止弁分解図
【図４】本考案を実施時に空気の流れを示す拡大図
【考案を実施するための形態】
【０００９】  履物に外部空気導入管とフイゴ状ポンプ及び、履物内部に空気をだす吹出口付きの空気導入管をつなげる。この時、フイゴ状ポンプの空気吸い込み接続部と吹き出し接続部の２ケ所に空気逆止弁を取り付ける。この仕様により、ポンプより圧送された空気は、戻ることがなく履物内部へ吹き出す。
【実施例】
【００１０】  以下、添付図面に於いて説明する。この機構を装着することで、歩行時７の足のかかと部が３のフイゴ状のポンプを上下する事で、外気が１の空気取入口より吸い込まれ履物内部へ吹き出される。この時に５の逆止弁の作用により取り込んだ外気を逆流させずに６の空気の流れは一方向のみの流れとなり新鮮な外気が履物内部へ取り込まれるものである。
【符号の説明】
【００１１】１は空気取入口
２は空気導入管
３はフイゴ状のポンプ
４はフイゴ内部反発材
５は空気逆止弁
６は空気の流れ
７は足のかかと部
８は履物のかかと部
【図１】
0003151107.tif 000003
【図２】
0003151107.tif 000004
【図３】
0003151107.tif 000005
【図４】
0003151107.tif 000006
(57)【要約】      （修正有）【課題】包丁を安全、効率的、衛生的に取り扱うことができる回転式包丁収納容器を提供する。【解決手段】円筒形の回転筒１の天井部３に包丁を差し込む穴として、鋭角三角形又は長方形の穴を複数開ける。回転筒の天井部３に補強材４を設け、その中心に軸受け穴８を設け受け軸５を入れる。受け軸５は台２に固定する。台２にはブレ防止板６を設ける。【選択図】図２
0003151104.tif 000002
【実用新案登録請求の範囲】
【請求項１】
プラスチック材質で回転筒を作り、その天井部に包丁を差し込む鋭角三角形又は長方形の穴を複数開け、回転筒の底部は解放し、長さは包丁の収納出来る長さとし、台の上面にブレ防止板を設置し、中央には受け軸を固定し回転筒の軸受け穴を乗せた回転式包丁収納容器。
【考案の詳細な説明】
【考案の詳細な説明】
この実用新案は、一般家庭の台所で包丁を収納する場合、流し台の大きな引き出しの中とか、調理台の上に放り出した状態で置かれており、何かと衛生的にも、安全面からも問題がある。
これらの衛生面、安全面、また美観面、効率面から見ても、これ等の改善が望まれるのであり、これを解決したのが本考案である。
本考案の材質はプラスチックとし、円筒形の回転筒を作り上方は塞ぎ下方は解放する。塞いだ天井に補強材を入れる。この面に包丁を差し込む穴として、鋭角の三角形又は長方形の穴を複数開ける。
包丁は刃を円心の方に向けて差し込む。回転筒の長さは包丁が収納出来る長さとする。回転筒の天井に設けた補強材の中心には、受け軸を入れる軸受け穴を設ける。
受け軸は台に固定し、複数の包丁を収納した回転筒を乗せて回転させながら、包丁の出し入れが安全、効率的、衛生的に取り扱うことが出来る。
これを図面により説明すると。
図１は正面図・図２は断面図・図３は平面図・図４は３の天井平面図  図５は２の斜視図・図６は１の斜視図である。
２台に５軸を固定し、これに１回転筒を乗せる。８軸受け穴で受けて１回転筒は自由に回転する。１回転筒の上部３回転筒天井に包丁の刃に合わせた７包丁差し入れ口を鋭角三角形又は長方形の穴を複数開ける。
２台には１回転筒が振れずにスムースに回転させる為６ブレ防止板を設置する。１回転筒の３回転筒天井には、４補強材を設ける構造とした回転式包丁収納容器である。
【図面の簡単な説明】
【図１】は本案の収納容器回転筒の正面図である。
【図２】は本案の収納容器回転筒の断面図である。
【図３】は本案の収納容器回転筒の平面図である。
【図４】は本案の収納容器回転筒天井内側の平面図である。
【図５】は本案の収納容器台の斜視図である。
【図６】は本案の包丁収納容器回転筒の斜視図である。
【符号の説明】１は回転筒
２は台
３は回転筒天井
４は天井補強材
５は受け軸
６はブレ防止板
７は包丁差し入れ口
８は軸受け穴
９は包丁収納状況
【図１】
0003151104.tif 000003
【図２】
0003151104.tif 000004
【図３】
0003151104.tif 000005
【図４】
0003151104.tif 000006
【図５】
0003151104.tif 000007
【図６】
0003151104.tif 000008
(57)【要約】      （修正有）【課題】ノート型パソコンの散熱支承架を提供する。【解決手段】第一支承アーム１と第二支承アーム２と、からなり、且つ、第一支承アームと第二支承アームの中間に枢軸１０を設置して結合し、第一支承アームは、第二支承アームに対し、開合動作が可能である。第一、第二支承アームの一端は、それぞれ、結合素子３，４を設置し、もう一端は可動蓋７を調整する調整棒６を設置し、可動蓋の高度位置を調整して、ノート型パソコンを一角度に傾斜させ、底座を散熱させる。【選択図】図３
0003151142.tif 000002
【実用新案登録請求の範囲】
【請求項１】
ノート型パソコンの散熱支承架であって、
第一支承アームと第二支承アームと、からなり、前記第一支承アームと前記第二支承アームの中間に枢軸を設置して結合し、前記第一支承アームは前記第二支承アームに相対して開合動作し、前記第一支承アームと前記第二支承アームの一端は、それぞれ、結合素子を設置し、前記結合素子は、前記第一支承アームと前記第二支承アームの凹槽内に設置され、且つ、可動方式で前記凹槽外に突出し、もう一端は可動蓋を調整する調整棒を設置し、前記可動蓋一端は、前記枢軸端に近い側の係合栓に嵌合し、且つ、前記可動蓋は前記調整棒を蓋合し、前記調整棒一端はフックを設置して、前記枢軸から遠い側の係合栓に嵌合され、前記調整棒のもう一端は係合棒を設置し、前記係合棒は前記可動蓋の歯溝の異なる位置で係止して、前記可動蓋の高度位置を調整し、前記散熱支承架上に放置したノート型パソコンを一角度に傾斜させ、底座を散熱させて、使用寿命を延長することを特徴とするノート型パソコンの散熱支承架。
【請求項２】
前記枢軸は前記第一支承アームの結合部中間に設置され、且つ、前記枢軸は歯体を有し、前記第二支承アームの結合部中間は歯状通孔を設置し、前記歯体と前記歯状通孔は緊密に結合することを特徴とする請求項１に記載のノート型パソコンの散熱支承架。  
【請求項３】
前記結合素子はフック部を有し、前記凹槽内に係合棒を設置し、前記フック部は前記係合棒と可動で結合することを特徴とする請求項１に記載のノート型パソコンの散熱支承架。
【考案の詳細な説明】
【技術分野】
【０００１】
本考案は、ノート型パソコンの散熱支承架に関するものであって、特に、第一支承アームと第二支承アームの中間に枢軸を設置して結合し、第一支承アームは第二支承アームに相対して開合動作し、第一支承アームと第二支承アームの一端は、それぞれ、結合素子を設置し、もう一端は可動蓋を調整する調整棒を設置し、可動蓋の高度位置を調整するノート型パソコンの散熱支承架に関するものである。
【背景技術】
【０００２】
ノート型パソコンは、体積がデスクトップ型よりも小さく、且つ、携帯に便利であるので人気がある。しかし、使用時にデスク上に放置すると、デスクトップ型と比べて散熱性が悪く、ノート型パソコンの効率や安定性に影響する。よって、このような問題を解決することが必要である。
【考案の概要】
【考案が解決しようとする課題】
【０００３】
本考案は、ノート型パソコンの散熱支承架を提供し、支承架により支承と散熱効果を達成することを目的とする。
【課題を解決するための手段】
【０００４】
上述の目的を達成するため、本考案のノート型パソコンの散熱支承架は、第一支承アームと第二支承アームと、からなり、第一支承アームと第二支承アームの中間に枢軸を設置して結合し、第一支承アームは第二支承アームに相対して開合動作する。第一支承アームと第二支承アームの一端は、それぞれ、結合素子を設置し、結合素子は、第一支承アームと第二支承アームの凹槽内に設置され、且つ、可動方式で凹槽外に突出し、もう一端は可動蓋を調整する調整棒を設置する。可動蓋一端は、枢軸端に近い側の係合栓に嵌合し、且つ、可動蓋は調整棒を蓋合し、調整棒一端はフックを設置して、枢軸から遠い側の係合栓に嵌合される。調整棒のもう一端は係合棒を設置し、係合棒は可動蓋の歯溝の異なる位置で係止して、可動蓋の高度位置を調整し、散熱支承架上に放置したノート型パソコンを一角度に傾斜させ、底座を散熱させて、使用寿命を延長する。
【考案の効果】
【０００５】
本考案により、ノート型パソコンの散熱効果を達成し、使用寿命を延長させることができる。
【図面の簡単な説明】
【０００６】
【図１】本考案の分解図である。
【図２】本考案の組み合わせ図である。
【図３】本考案の動作図である。
【図４】本考案の好ましい実施例を示す図である。
【実施例】
【０００７】
図１〜図４は、本考案のノート型パソコンの散熱支承架を示す図である。
本構造は、第一支承アーム１と第二支承アーム２と、からなり、第一支承アーム１と第二支承アーム２の中間に枢軸１０を設置して結合し、枢軸１０は第一支承アーム１の結合部１１中間に設置され、且つ、枢軸１０は歯体１２を有し、第二支承アーム２の結合部２１中間に歯状通孔２０を有し、歯体１２と歯状通孔２０は緊密に結合する。第一支承アーム１は、第二支承アーム２に対して開合動作が可能で、また、第一支承アーム１と第二支承アーム２の一端は、それぞれ、結合素子３、４を設置し、結合素子３、４は、第一支承アーム１と第二支承アーム２の凹槽３０、４０内に装着される。結合素子３、４はフック部３１、４１を設置し、凹槽３０、４０内に係合棒３２、４２を設置し、フック部３１、４１は、可動方式で係合棒３２、４２と結合する。且つ、結合素子３、４は、可動で凹槽３０、４０外に突出して、ノート型パソコン５を固定し、もう一端は、それぞれ、可動蓋７を調整する調整棒６を設置し、可動蓋７一端はフック７１を有して、枢軸１０端に近い側の係合栓１３に嵌合する。且つ、可動蓋７は調整棒６を蓋合し、調整棒６一端はフック６１を設置して、枢軸１０から遠い係合栓１４に嵌合され、且つ、調整棒６のもう一端は係合棒６２を設置し、係合棒６２は可動蓋７の歯溝７２の異なる位置で係止して、可動蓋７の高度位置を調整し、散熱支承架上に放置したノート型パソコン５を一角度に傾斜させ、底座を散熱させて、使用寿命を延長する。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
第一支承アーム１
第二支承アーム２
結合素子３、４
ノート型パソコン５
調整棒６
可動蓋７
枢軸１０
結合部１１
歯体１２
係合栓１３、１４
歯状通孔２０
結合部２１
凹槽３０、４０
フック部３１、４１
係合棒３２、４２
フック６１
係合棒６２
フック７１
歯溝７２
【図１】
0003151142.tif 000003
【図２】
0003151142.tif 000004
【図３】
0003151142.tif 000005
【図４】
0003151142.tif 000006
(57)【要約】      （修正有） 【課題】植物包装袋に他社の広告を表示する広告表示部を設けることによって、植物包装袋の広告性を高めるようにした広告付き植物包装袋を提供する。【解決手段】植物包装袋１は、植物Ｓを包装するようにして用いられる袋であり、植物Ｓを包装するに便なる形状、例えば台形状の用紙である。植物包装袋１の余白部に、他社の広告を表示するための広告表示部２を設ける。この広告表示部２は、例えば、円形、長方形、正方形、菱形等の任意の形状の枠で囲む。植物を収容する袋自体だけではなく、当該袋に添付するシールやタグに、他社の広告を表示する広告表示部を設けても良い。【選択図】図２
0003151314.tif 000002
【実用新案登録請求の範囲】
【請求項１】
植物を収容する袋自体、又は当該袋に添付するシールやタグに、他社の広告を表示する広告表示部を設けたことを特徴とする広告付き植物包装袋。
【請求項２】
前記広告表示部は、袋の余白に設けたことを特徴とする請求項１に記載の広告付き植物包装袋。
【考案の詳細な説明】
【技術分野】
【０００１】
本考案は、他社の広告を表示する広告表示部を設けた広告付き植物包装袋に関するものである。
【背景技術】
【０００２】
花店で花を販売する場合、花は植物包装袋で包装された状態で販売されることが一般的である。
【０００３】
又、特許文献１に植物の袋に関する発明が記載されている。しかし、特許文献１に記載の発明は、種の形、大きさ、色、粒揃い、種の善し悪しなどの種全部の様子が、種詰め袋の外観から分かるようにした発明である。
【先行技術文献】
【特許文献】
【０００４】
【特許文献１】特開２００３−１０４４３８
【考案の概要】
【考案が解決しようとする課題】
【０００５】
しかし、前述の特許文献１に記載の発明は、植物包装袋の広告性を高めるようにした発明ではない。
【０００６】
本考案は、前記背景技術の問題に鑑みてなされたもので、その目的は、植物包装袋に他社の広告を表示する広告表示部を設けることによって、植物包装袋の広告性を高めるようにした広告付き植物包装袋を提供することにある。
【課題を解決するための手段】
【０００７】
請求項１に記載の考案は、植物を包装する袋自体、又は当該袋に添付するシールやタグに、他社の広告を表示する広告表示部を設けたことを特徴とするものである。
【０００８】
請求項２に記載の考案は、請求項１に記載の考案において、前記広告表示部は、袋の余白に設けたことを特徴とするものである。
【考案の効果】
【０００９】
請求項１に記載の考案によれば、広告表示部に他社の広告を表示することで、植物包装袋を有効広告媒体として活用することができる。
【００１０】
請求項２に記載の考案によれば、広告表示部が植物包装袋の余白に設けられているために、植物包装袋にとって必要な本来の表示に邪魔になることなく、植物包装袋を有効に活用することができる。
【図面の簡単な説明】
【００１１】
【図１】図１は、本実施形態に係る植物包装袋を扁平にした状態を示す図である。（第１実施形態）
【図２】図２は、花付き植物を植物包装袋で包装した状態を示す図である。
【図３】図３は第２実施形態に係る植物包装袋を示す図である。
【図４】図４は第３実施形態に係る植物包装袋を示す図である。
【考案を実施するための形態】
【００１２】
図１は第１実施形態の植物包装袋の外形を示す。該植物包装袋１は、図２に示すように、植物Ｓを包装するようにして用いられる袋である。
【００１３】
図１に示すように、植物包装袋１の余白部には、他社の広告を表示するための広告表示部２が設けられている。この広告表示部２は、図１に示すように、枠で囲まれるように形成されることができる。
【００１４】
この枠の形状としては、例えば、円形、長方形、正方形、菱形等の任意の形状がある。この枠は、印刷等の手段によって植物包装袋１に表示することができる。
【００１５】
前記植物包装袋１内に包装される植物としては、花付きの植物、観葉植物、野菜、ペット用植物のような様々な植物が該当する。特に、榊や関西仏花のように、正面からのみ観賞される状態で植物包装袋で包装される植物の場合には、植物包装袋の裏面の全域に広告表示部を設けることができる。
【００１６】
前記広告表示部２は、植物包装袋１に添付可能に設けられた、例えば、植物の値段を表示するためのシールを大きめに形成してこのシールに設けることができる。
【００１７】
図２は植物包装袋１で花付きの植物を包装した状態を示す。同図２に示すように、広告表示部２は、包装された花付き植物Ｓを観賞するときの邪魔にならない位置に設けることが好ましい。
【００１８】
図３は第２実施形態を示す。この第２実施形態の特徴は、植物包装袋１に、名刺やメッセージカードのようなカードを収容するカード収容部４を設けた点にある。このカード表示部４を設けることによって、このカード表示部４のカード挿入口５から名刺等のカードを挿入して、花を相手に贈る際に、名刺のようなカードを添付することができる。
【００１９】
図４は、第３実施形態を示す。この第３実施形態の特徴は、タグ６を粘着性の部材によって、植物包装袋１添付できるようにし、このタグ６に前記広告表示部２を設けた点にある。
【００２０】
又、前記広告表示部２に、この広告表示部２を他社が利用することによって当社が得た利益の一部は、慈善事業等に寄付される旨を表示することもできる。
【符号の説明】
【００２１】
１  植物包装袋
２  広告表示部
４  カード表示部
５  カード挿入口
６  タグ
Ｓ  植物
【図１】
0003151314.tif 000003
【図２】
0003151314.tif 000004
【図３】
0003151314.tif 000005
【図４】
0003151314.tif 000006
(57)【要約】      （修正有）【課題】住宅用窓シャッターのシャッターカーテンと巻き取り部カバーとの隙間から、小鳥・小動物の侵入を防止する金具を提供する。【解決手段】巻取り機カバー２の下面２ａに取付け、隙間Ｇを塞ぐためＬ字状に折曲げた補強部があるステンレス板、又は鋼板からなる金具Ｔを、巻取り機カバー下面２ａにシャッター開閉操作を恒久的に円滑に出来る最低限の隙間を確保し、カバー取付ビス２ｂをはずし、このネジ穴を共有し取付ける。取付時に置いて、シャッターカーテン１と住宅用窓シャッターの本金具Ｔは接触しない様に、又、シャッターカーテン上下による湾曲にも支障をきたさない様に隙間Ｇの隙間調整をしつつ、取付ビス２ｂを取付ける。【選択図】図１
0003151315.tif 000002
【実用新案登録請求の範囲】
【請求項１】
住宅用窓シャッターの下面部分にシャッターカーテンと巻き取り機カバーとの間に隙間があり、L字状に折曲げたステンレス板、又は鋼板を、巻取り機カバー下面に取付け、隙間を最小限に塞ぐ住宅用窓シャッターの小鳥・小動物侵入防止金具。
【請求項２】
既設の住宅用窓シャッターにも取付けビスを共有することで容易に施工出来ることを特徴とし、請求項１に記載した住宅用窓シャッターの小鳥・小動物侵入防止金具。
【考案の詳細な説明】
【技術分野】
【０００１】
本考案は住宅用窓シャッターの小鳥・小動物侵入防止に関するものである。
【背景技術】
【０００２】
従来の住宅用窓シャッターのシャッターカーテンにおいて、第1図、第2図に示す様にガイドレール3・シャッターカーテン1と巻き取り機カバー下面2aとの間に隙間Gが設けてあり隙間Gより小鳥・小動物の侵入が見られ、シャッターカーテンの上下運動による開閉操作に支障をきたす問題点があった。
【先行技術文献】
【特許文献】
【０００３】
【特許文献１】実開1987-175190
【考案の概要】
【考案が解決しようとする課題】
【０００４】
従来の住宅用窓シャッターのシャッターカーテンにおいて、第1図、第2図に示す様にガイドレール3・シャッターカーテン1と巻き取り機カバー下面2aとの間に隙間Gが設けてあり隙間Gより小鳥・小動物の侵入が見られシャッター開閉操作に支障をきたす問題点があった為、巻き取り機カバー下面2aに本金具Tを取付ることにより小鳥・小動物の侵入を防止し、シャッター開閉操作を恒久的、円滑性に行うものである。
【課題を解決するための手段】
【０００５】
住宅用窓シャッターの下面部分にシャッターカーテンと巻き取り機カバーとの間に隙間があり、L字状に折曲げたステンレス板、又は鋼板を、巻取り機カバー下面に取付け、隙間を最小限に塞ぎ小鳥・小動物の侵入を防止する金具である。
【考案の効果】
【０００６】
要するに本考案は、住宅用窓シャッターのシャッターカーテンと巻き取り部カバーの隙間に取り付けられ、小鳥・小動物の侵入を防止する金具でありシャッターの開閉操作を円滑性に行うことが出来る。また、巻き取り機カバー下面の取り付けビスをはずし、このネジ穴を共有することにより既設のシャッターにも取付けができ、作業性が容易で良好な外観を得ることが出来る。
【図面の簡単な説明】
【０００７】
【図１】・・・・本考案の金具を取付けた住宅用窓シャッターの側面図
【図２】・・・・本考案の金具を取付けた住宅用窓シャッターの正面図
【図３】・・・・本考案金具図
【図４】・・・・本考案金具を切欠いた図
【図５】・・・・従来の住宅用窓シャッターの側面図
【考案を実施するための形態】
【０００８】
本考案の住宅用窓シャッターの小鳥・小動物侵入防止金具Tは、巻取り機カバー2の下面2aに取付け、隙間Gを塞ぐ金具である。L字状に折曲げた補強部４があるステンレス板、又は鋼板を、巻取り機カバー下面2aにシャッター開閉操作を恒久的に円滑に出来る最低限の隙間を確保し、カバー取付ビス2bをはずし、このネジ穴を共有し取付ける。
取付時に置いて、シャッターカーテン1と住宅用窓シャッターの本金具Tは接触しない様に、又、シャッターカーテン上下による湾曲にも支障をきたさない様に隙間Gの隙間調整をしつつ、取付ビス2bを取付ける。
住宅用窓シャッターの本金具T をL字状に折曲げることにより本金具の補強と侵入をより困難にでき、電動・手動式にかかわらわず、巻き込み防止金具等、突起物が付属してある場合も、その部分を第4図の4aのように切欠くことで本金具が取付可能となる。又、住宅用窓シャッターの本金具Tをシャッターカーテン1の昇降時の湾曲も本金具Tが小さくし、隙間Gを最小限にし小鳥・小動物の侵入を防止できシャッター開閉操作を恒久的に円滑に出来る。
【符号の説明】
【０００９】
1・・・シャッターカーテン
2・・・巻取り部カバー
2a・・ 巻取り部カバー下面
2b・・ 下面のカバー取付ビス
3・・・ガイドレール
4・・・本金具の補強部
4a・・ 切欠き部
G・・・隙間
T・・・本金具
【図１】
0003151315.tif 000003
【図２】
0003151315.tif 000004
【図３】
0003151315.tif 000005
【図４】
0003151315.tif 000006
【図５】
0003151315.tif 000007
(57)【要約】      （修正有）【課題】供花用容器、蝋燭立、線香立を一体化して、祭壇のスペースを有効利用できる仏具を提供する。【解決手段】精油が溶存するアルコール溶液等に生花等を入れる鍔縁付き水中花用容器２と、該水中花用容器２の開口に嵌め込む内周面に雌ネジ３ａを設けた穴あき栓体３と、アルコール溶液等に浸漬させる灯芯４を挿通すると共に、穴あき栓体３に設けた雌ネジに螺合する雄ネジ５ａを外周面に設けた燭台部５を水中花用容器の鍔縁に取り付け、燭台部の外縁に沿って立設した立上がり壁に風防用筒体６を嵌め込んで上記の仏具を構成する。【選択図】図１
0003151389.tif 000002
【実用新案登録請求の範囲】
【請求項１】
精油が溶存するアルコール又はパラフィン溶液に生花又はドライフラワーを入れる鍔縁付き水中花容器と、該水中花容器の開口に嵌め込む内周面に雌ネジを設けた穴あき栓体と、アルコール又はパラフィン溶液に浸漬させる灯芯を挿通すると共に、穴あき栓体に設けた雌ネジに螺合する雄ネジを外周面に設けた燭台部を水中花容器の鍔縁に取り付け、燭台部の外縁に沿って立設した立上がり壁に風防用筒体を嵌め込んで成る仏具。
【考案の詳細な説明】
【技術分野】
【０００１】
本考案は、芳香のついたアルコール又はパラフィン溶液に生花又はドライフラワーを入れる水中花用容器と、該容器に浸漬されてアルコール又はパラフィンを含浸する灯芯に着火し点灯する燭台部と、アルコール又はパラフィンの燃焼でアルコール又はパラフィン溶液に溶解している芳香物質を有する精油を揮発させ芳香を放つ仏具に関する。
【背景技術】
【０００２】
一般に芳香のついたアルコールは精油を溶存させたアルコールであり、精油は植物に含まれ、揮発性の芳香物質を含む有機化合物である。
【０００３】
水中花は生花でありアルコール液中で長期保存が可能である。
【０００４】
アルコールに溶存する精油中の芳香液を吸液可能な素材で形成されている特殊構造の灯芯に着火すると精油中の芳香物質が揮発して芳香を放つ。
【０００５】
バーナを安定して支持することができ、長時間継続して芳香液を蒸散することが可能な芳香器がある。例えば特許文献１・図１。
【０００６】
アルコールに溶存する精油中の芳香液を吸液可能な素材で形成されている特殊構造の灯芯を用いている芳香器がある。例えば特許文献１・段落０００８。
【０００７】
生花を美麗に飾ることができ、同時に生花を長持ちさせる水中花の容器として、容器の下端の開口部を閉塞する蓋体に、周囲をカバーで囲んだ剣山を一体に構成した水中花の容器がある。例えば特許文献２・図１。
【先行技術文献】
【特許文献】
【０００８】
【特許文献１】特開２００３-１９０２６８号公報
【特許文献２】特開２００５-２４０２０１号公報
【考案の概要】
【考案が解決しようとする課題】
【０００９】
特開２００３-１９０２６８号公報に係る芳香器のバーナは、芳香液を長時間にわたり蒸散させることを目的とするものであり、そのためバーナに着火しアルコール成分を含む芳香液をアルコールランプと同様の原理で燃焼させ、バーナを高温にした後に火を消すとバーナに塗布した白金等の触媒作用でバーナが高温状態で維持され、灯芯に含浸された芳香液を、毛細管現象によつてバーナに吸い上げ室内へ芳香液を放散させるものであり、バーナ着火による灯明としての使用はしない。即ち灯芯の芯端部は外キャップの上壁に接近した位置にあり、外キャップの上壁に設けている小孔から芳香成分を外部へ放散させる構造である。
【００１０】
特開２００５-２４０２０１号公報に係る水中花の容器は、生花を美麗に飾ると共に生花を長持ちさせることを目的とするものであり、容器の内部に水を充填すると共に容器の下部に蓋体を取り付けて水の漏洩を防ぎ且つ容器を密閉し、蓋体の中央に剣山を固定する構造であり、生花が外気に触れず長期にわたる自然状態が維持できるが、時折に水を交換することを要し、アルコール漬けの生花のような永久保存はできない。
【課題を解決するための手段】
【００１１】
精油が溶存するアルコール又はパラフィン溶液に生花又はドライフラワーを入れる鍔縁付き水中花用容器と、該水中花用容器の開口に嵌め込む内周面に雌ネジを設けた穴あき栓体と、アルコール又はパラフィン溶液に浸漬させる灯芯を挿通すると共に、穴あき栓体に設けた雌ネジに螺合する雄ネジを外周面に設けた燭台部を水中花用容器の鍔縁に取り付け、燭台部の外縁に沿って立設した立上がり壁に風防用筒体を嵌め込み、灯芯に含浸しているアルコール又はパラフィン溶液の燃焼で火を灯すと共に精油成分の芳香性物質を揮発させ、美麗な生花又はドライフラワーと仄かな灯明の光と、お線香に代える芳香を室内へ漂わせる仏具を提供することを目的とする。
【考案の効果】
【００１２】
水中花用容器に入れた美麗で長持ちのする生花又はドライフラワーを常時供えることができ、仄かな灯明の光と芳香が室内に荘厳な雰囲気を現出し、灯明は風防用筒体で取り囲まれているため妄りに消えることがなく、風防用筒体及び燭台部を取り外してアルコール又はパラフィン溶液の補給を簡単に行うことができる。  
【図面の簡単な説明】
【００１３】
【図１】本考案を示す縦断面図。
【図２】本考案に係る容器本体と、容器の開口に嵌め込む穴あき栓体を示す斜視図。
【図３】本考案に係る風防用筒体を示す斜視図。
【図４】本考案に係る燭台部を示す斜視図。
【図５】本考案を示す平面図。
【考案を実施するための形態】
【００１４】
精油が溶存するアルコール又はパラフィン溶液に生花又はドライフラワー１を入れる鍔縁付き水中花用容器２と、該水中花用容器２の開口に嵌め込む内周面に雌ネジ３aを設けた穴あき栓体３と、アルコール又はパラフィン溶液に浸漬させる灯芯４を挿通すると共に、穴あき栓体３に設けた雌ネジ３aに螺合する雄ネジ５aを外周面に設けた燭台部５を水中花用容器２の鍔縁２aに取り付け、燭台部５の外縁に沿って立設した立上がり壁５bに風防用筒体６を嵌め込み、燭台部５の中央部に突出させた円錐形突部５cから灯芯４の先端を若干露出させて着火する。
【産業上の利用可能性】
【００１５】
本考案は供花用の水中花用容器２と灯明を灯すと共に芳香を放散する燭台部５をコンパクトに一体化しているため、仏壇のスペースが狭くても体裁よく纏めて飾ることができ需要を喚起できる。
【符号の説明】
【００１６】
２  水中花用容器    ３  穴あき栓体    ３a 雌ネジ    ４  灯芯    ５  燭台部
５a  雄ネジ  ５ｂ  円錐形突部    ５ｂ  立上がり壁    ６  風防用筒体
【図１】
0003151389.tif 000003
【図２】
0003151389.tif 000004
【図３】
0003151389.tif 000005
【図４】
0003151389.tif 000006
【図５】
0003151389.tif 000007
(57)【要約】      （修正有）【課題】ボールペンを背骨として持ちやすくして形状と色彩の美観にすぐれた新鮮でユニークなキャラクターしおりを提供する。【解決手段】さまざまなキャラクターを模して創作する色彩絵を外形に沿って切り抜いて２枚の貼合わせ形または１枚の折合わせ形のしおりを形成し、該しおりの内面間に背骨と筆記用を兼ねたボールペンを挟着したことを特徴とする。【選択図】図２
0003151338.tif 000002
【実用新案登録請求の範囲】
【請求項１】
さまざまなキャラクターを模して創作する色彩絵を外形に沿って切り抜いて２枚の貼合わせ形または１枚の折合わせ形のしおりを形成し、該しおりの内面間に背骨と筆記用を兼ねたボールペンを挟着したことを特徴とするボールペン付きのキャラクターしおり。
【考案の詳細な説明】
【技術分野】
【０００１】
この考案は、ボールペン付きのキャラクターしおりに関するものである。
【背景技術】
【０００２】
従来は、実開平３−１６９０号公報にあるようにしおりの一端に筆記具を取り付けたことを記載している。
【先行技術文献】
【特許文献】
【０００３】
【特許文献１】実開平３−１６９０号公報
【考案の概要】
【考案が解決しようとする課題】
【０００４】
しかしながら、しおりの一端に筆記具を取り付けたのではしおりの一端が嵩ばって、しおりを持ちづらくして、本に挟みにくくしており、また筆記具が他物に当ってしおりを破り破損させるという課題があった。
【課題を解決するための手段】
【０００５】
本考案は、創作するキャラクターの色彩絵を外形に沿って切り抜いて２枚の貼合わせ形または１枚の折合わせ形のしおりを形成し、該しおりの内面間に背骨と筆記用を兼ねたボールペンを挟着するように構成して、かかる課題を解決したのである。
【考案の効果】
【０００６】
本考案は、しおりを創作するさまざまなキャラクターの色彩絵の合わせにて形成するので、従来にはない新鮮でユニークなものとなり、しかも破れ破損が生じないという効果を生ずる。
【０００７】
ボールペンをキャラクターしおりに内挿したので、しおりに背骨が入った形になって格段に強化されるという効果を生ずる。筆記するときも使いやすいという効果を生ずる。
【０００８】
キャラクターしおりに内挿するボールペンは大部分がしおり内にかくれるため、しおりの美観が少しも害されないという効果を生ずる。
【図面の簡単な説明】
【０００９】
【図１】本考案の１実施例を示す正面図
【図２】同、２枚の同形しおり片を貼合わせ前の状態にて示す正面図
【図３】しおり片を折合わせ形とした例を示す折合わせ前の正面図
【図４】ボールペン付きのキャラクターしおりの他の形成例を示す正面図
【考案を実施するための形態】
【００１０】
本考案は、さまざまなキャラクターを模して創作する色彩絵を外形に沿って切り抜いて２枚の貼合わせ形または１枚の折合わせ形のしおりを形成し、該しおりの内面間に背骨と筆記用を兼ねたボールペンを挟着したことを特徴とするボールペン付きのキャラクターしおりを構成する。
【実施例１】
【００１１】
テレビおよびマンガのキャラクター，人形，動物，植物等を模して創作する色彩絵１を外形に沿って切り抜いて２枚の同形しおり片２，２を形成し、または図３に示すように１枚の折合わせ形のしおり片３を形成し、該しおり片２，２または３の内面間に背骨を兼ねたボールペン４を内挿し貼合わせてボールペン４付きのキャラクターしおり５とする。６はしおり５の上端に取り付けた目印用のリボンである。
【００１２】
ボールペン４のペン先４ａはしおり５外に突出して、しおり５を持つことで筆記することができるようにする。４ｂはペン先４ａに着脱するキャップである。
【００１３】
なお、しおり片２，２は強靱紙，プラスチックなど破れない素材にて形成する。
【産業上の利用可能性】
【００１４】
本考案は、創作絵の切り抜きにより形状と美観にすぐれ、且つ背骨が入って丈夫で筆記もできるキャラクターしおりとして広く利用されるものである。
【符号の説明】
【００１５】
１は色彩絵
２，３はしおり片
４はボールペン
４ａはペン先
４ｂはキャップ
５はキャラクターしおり
６は目印用のリボン
【図１】
0003151338.tif 000003
【図２】
0003151338.tif 000004
【図３】
0003151338.tif 000005
【図４】
0003151338.tif 000006
(57)【要約】      （修正有）【課題】装着の簡潔さと動物への負担を軽減したペット用のハーネスの構造を提供する。【解決手段】着脱を容易にするため、ハーネスを背中留めとする。また、止め具の皮膚面接触を避け、動物への負担を軽減すべく留め具を背中側の布の上部にのみ使用することにより上記ハーネスを構成する。【選択図】図１
0003151397.tif 000002
【実用新案登録請求の範囲】
【請求項１】
背中留めとすることにより、着脱を容易にしたペット用ハーネス。
【請求項２】
留め具を背中部分の布の上のみに使用することで、留め具と動物の皮膚面への接触を避け動物への負担を軽減したペット用ハーネス。
【考案の詳細な説明】
【技術分野】
【０００１】  本考案は例えばうさぎなどの小動物に用いられる服、リードなどのペット用品に関するものである。
【背景技術】
【０００２】  従来の小動物用ハーネスは腹側に通したベルトを首元やわき腹で留め具により固定する構造になっており、着脱が困難、および留め具が直接動物に接触することにより動物に負担がかかる、という問題があった。
【考案の開示】
【考案が解決しようとする課題】
【０００３】  着脱のしやすさ【０００４】  動物の皮膚と留め具が接触しない構造
【課題を解決するための手段】
【０００５】  腹側で留めていた構造を取りやめ、分断した背中側の布を取り外し可能にすることにより着脱の困難さを解消した。【０００６】  背中側の布の上のみに留め具を使用することにより、動物の皮膚に留め具が接触しない構造とした。
【図面の簡単な説明】
【０００７】
【図１】本考案のハーネス構造の表図を示す。
【図２】本考案のハーネス構造の裏図を示す。
【図１】
0003151397.tif 000003
【図２】
0003151397.tif 000004
【手続補正書】
【提出日】平成20年11月25日(2008.11.25)
【手続補正１】
【補正対象書類名】実用新案登録請求の範囲
【補正対象項目名】全文
【補正方法】変更
【補正の内容】
【実用新案登録請求の範囲】
【請求項１】
ペット用ハーネスの着脱を容易にするために、背中部分を面ファスナーで貼り合わせる構造とする。
【請求項２】
背中部分を面ファスナーで貼り合わせる構造を特徴とする請求項１記載のペット用ハーネス。
【手続補正書】
【提出日】平成21年3月24日(2009.3.24)
【手続補正１】
【補正対象書類名】実用新案登録請求の範囲
【補正対象項目名】全文
【補正方法】変更
【補正の内容】
【実用新案登録請求の範囲】
【請求項１】
ペット用ハーネスの着脱を容易にするために、背中部分を面ファスナーで貼り合わせる構造としたハーネス。
【請求項２】
背中部分を面ファスナーで貼り合わせる構造を特徴とする請求項１記載のペット用ハーネス。
(57)【要約】      （修正有）【課題】指先で揉み消すことなく中に吸殻を落とす灰皿の機能と消火機能を一体化した灰皿を提供する。【解決手段】有底丸形本体の上部消火筒盤が回転しながら本体の中に吸殻を落とす。取りはずしが出来る開口丸枠で成りたっている灰皿である。上述のように回転式で設けた事によりシンプルなデザイン及機能がすぐれている。また、臭いも軽減される灰皿は、一連の動作で使い勝手がよい。【選択図】図１
0003151396.tif 000002
【実用新案登録請求の範囲】
【請求項１】
0003151396.tif 000003
ことのできる灰皿である消火筒で消されたタバコは消火筒に挿入され回転しながら開口より灰皿の中に落される吸い殻の灰が表面を汚さない灰皿用具
0003151396.tif 000004
開口穴を孔ける回転盤に３６０°回転するガイド溝を設けた
この溝は位置決めするストッパ役目を果す回転盤に消火筒を固定した
0003151396.tif 000005
回転式灰皿用具
【考案の詳細な説明】
【技術分野】
【０００１】本考案は灰皿に回転しながらタバコを灰皿の中に落すことができる灰皿に関するものである
【背景技術】
【０００２】喫煙等において吸い殻及灰が散乱したり臭いが軽減する灰皿を考案した灰皿用具
【考案の開示】
【考案が解決しょうとする課題】
【０００３】灰皿使用にあたって後始末及使い勝手が悪かった
従って灰皿の機能と消火機能を一休化する事により前述の欠点を解決しょうとするものである
【課題を解決するための手段】
【０００４】本考案は灰皿本体に回転式を設けた消火したタバコは回転しながら灰皿本体底に吸殻を落とすことにより間題の解決した
【考案の効果】
【０００５】上述のように回転式を設けた事によりシンプルなデザイン及機能がすぐれてる一連の喫煙用具に役立灰皿である
【考案を実施するための最良の形態】
【０００６】灰皿は本体回転盤消火筒で成りたっている。
【図面の簡単な説明】
【０００７】
【図１】灰皿本体
【図２】回転式消火筒盤
【図３】脱着する開口丸枠
【図１】
0003151396.tif 000006
【図２】
0003151396.tif 000007
【図３】
0003151396.tif 000008
【手続補正書】
【提出日】平成20年9月16日(2008.9.16)
【手続補正１】
【補正対象書類名】実用新案登録請求の範囲
【補正対象項目名】全文
【補正方法】変更
【補正の内容】
【実用新案登録請求の範囲】
【請求項１】
上面開口有底丸形本体と皿形した円形の丸枠と回転板で出来ている丸形本体は吸い殻をためる皿形した円形の丸枠は皿形した表面に開口穴をガイドピンを設ける回転板は板に開口穴と消化筒とガイド溝を設ける皿形した丸枠に回転板をのせる丸枠に回転板が皿形表面の上を回転する時計方向に回転板を回転することで開口穴が貫通されるガイド溝は回転板が１８０°の位置でガイドピンで止まる反時計方向に回れると開口穴は閉じられる消化筒で消されたタバコは回転させながら有底丸形本体に落とされる開閉自在にした
【手続補正２】
【補正対象書類名】図面
【補正対象項目名】全図
【補正方法】変更
【補正の内容】
【図１】
0003151396.tif 000009
【図２】
0003151396.tif 000010
【図３】
0003151396.tif 000011
【手続補正書】
【提出日】平成21年2月2日(2009.2.2)
【手続補正１】
【補正対象書類名】実用新案登録請求の範囲
【補正対象項目名】全文
【補正方法】変更
【補正の内容】
【実用新案登録請求の範囲】
【請求項１】
上面開口有底丸形本体と、皿型をした円形の丸枠と、回転板とを備えた回転式灰皿であって、前記丸形本体は吸い殻をためるよう形成されて前記皿形をした円形の丸枠は皿形をした表面に開口穴を設けてあり、この開口穴は灰と吸い殻を丸形本体の底に落とす開口穴であり、さらに、前記皿形をした表面にはガイドピンを有し、前記回転板は板に開口穴、消化筒及びガイド溝が形成され、前記皿形をした丸枠に回転板がのせられ、前記皿形をした表面に回転板が回転するように構成されていて、前記回転板を時計方向に回転させられると回転板の開口穴と丸枠の開口穴とが貫通され、消火筒で消された、タバコと灰が本体有底に落とされ回転板の回転が１８０°回転した所でガイド溝がガイドピンに当って止まる様に構成され、且つ前記回転板を反時計方向に回転することで開口穴が閉じられ、タバコの臭いが軽減される開閉自在構成した回転式灰皿。
【手続補正２】
【補正対象書類名】図面
【補正対象項目名】全図
【補正方法】変更
【補正の内容】
【図１】
0003151396.tif 000012
【図２】
0003151396.tif 000013
【図３】
0003151396.tif 000014